(57)【要約】【課題】導通検査とともに、耐電圧検査を行うことによって、コネクタ部の短絡や短絡には至っていないが回路間の沿面距離・空間距離の不具合を検査すること。【解決手段】まず、切替器Ｄの切り替え動作によって、ワイヤーハーネスＡと導通検査器Ｂを接続させて、コネクタ部の導通検査を行って隣り合う端子同士が完全にショートする場合を検出し、次に切替器Ｄの切り替え動作によって、ワイヤーハーネスＡと耐電圧検査器Ｃを接続させて、回路間の耐電圧検査を行なって回路間の沿面距離・空間距離の不具合を検出することで、隣り合う端子の潜在的な不良による接続状態を検出する。【選択図】        図１
2005337928.tif 000002
【特許請求の範囲】
【請求項１】
被覆された複数の電線と、前記電線が接続されるコネクタ部とを有し、所定の回路網を構成するワイヤーハーネスにおける接続状態検査装置において、
前記コネクタ部の導通検査を行う導通検査器と、
前記回路間の耐電圧検査を行う耐電圧検査器と、
前記コネクタ部と、前記導通検査器または前記耐電圧検査器との接続切り替えを行う切替手段と、
を備えたことを特徴とするワイヤーハーネスにおける接続状態検査装置。
【請求項２】
前記切替手段は、前記構成された全回路のＦＲＯＭ側またはＴＯ側の端子のうち、いずれか一方の側の端子のみを前記耐電圧検査器に接続させ、前記耐電圧検査器は、前記接続された端子に対する前記検査を行うことを特徴とする請求項１に記載のワイヤーハーネスにおける接続状態検査装置。
【請求項３】
前記耐電圧検査器は、隣り合う端子との間のみの前記耐電圧検査を行うことを特徴とする請求項１または２に記載のワイヤーハーネスにおける接続状態検査装置。
【発明の詳細な説明】
【技術分野】
【０００１】
本発明は、複数の電線を被覆して構成されるワイヤーハーネスにおいて、上記電線とコネクタの接続状態を検査するワイヤーハーネスにおける接続状態検査装置に関するものである。
【背景技術】
【０００２】
一般的にワイヤーハーネスは、被覆された複数の電線をハウジング組付け式のコネクタ部で接続し、所定の回路網を形成した電気配線で構成されており、このワイヤーハーネスを製造する際には、たとえば特許文献１に示すような検査装置を用いて、各コネクタ部の電気接続状態を検査するために導通検査を行うものがある。このワイヤーハーネスの導通検査では、短絡検査において、形成された回路間の短絡の検査を行っていた。
【０００３】
【特許文献１】特開２００３−２２２６４７号公報
【発明の開示】
【発明が解決しようとする課題】
【０００４】
しかしながら、近年では、コネクタの短絡には至らないが、コネクタの小型化や集約化（積層化）に伴い、回路間の絶縁特性が劣化するという不具合の可能性が考えられる。特に、最近の低ピッチコネクタでは、電線が接続される端子間の絶縁特性を保つため、箱型のキャビティを設けることが難しくなってきており、このようなコネクタでは、短絡には至らないが、沿面距離・空間距離の特性が劣る機能不良が発生することがあるという問題があった。なお、この沿面距離・空間距離は、耐電圧テストによって検査できることが学術的に証明されている。
【０００５】
本発明は、上記問題に鑑みてなされたものであって、導通検査とともに、耐電圧検査を行うことによって、コネクタ部の短絡や短絡には至っていないが回路間の沿面距離・空間距離の不具合を検査することができるワイヤーハーネスにおける接続状態検査装置を提供することを目的とする。
【課題を解決するための手段】
【０００６】
上述した課題を解決し、目的を達成するために、本発明にかかるワイヤーハーネスにおける接続状態検査装置は、被覆された複数の電線と、前記電線が接続されるコネクタ部とを有し、所定の回路網を構成するワイヤーハーネスにおける接続状態検査装置において、前記コネクタ部の導通検査を行う導通検査器と、前記回路間の耐電圧検査を行う耐電圧検査器と、前記コネクタ部と前記導通検査器または前記耐電圧検査器との接続切り替えを行う切替手段と、を備えたことを特徴とする。
【０００７】
また、請求項２の発明にかかるワイヤーハーネスにおける接続状態検査装置は、上記発明において、前記切替手段は、前記構成された全回路のＦＲＯＭ側またはＴＯ側の端子のうち、いずれか一方の側の端子のみを前記耐電圧検査器に接続させ、前記耐電圧検査器は、前記接続された端子に対する前記検査を行うことを特徴とする。
【０００８】
また、請求項３の発明にかかるワイヤーハーネスにおける接続状態検査装置は、上記発明において、前記耐電圧検査器は、隣り合う端子との間のみの前記耐電圧検査を行うことを特徴とする。
【発明の効果】
【０００９】
本発明にかかるワイヤーハーネスにおける接続状態検査装置は、コネクタ部の導通検査を行う導通検査器と回路間の耐電圧検査を行う耐電圧検査器とを切り替えて、コネクタ部に接続させることで、導通検査および耐電圧検査を行うことを可能にし、これによって導通検査とともに、耐電圧検査を行うことによって、コネクタ部の短絡や短絡には至っていないが回路間の沿面距離・空間距離の不具合を検査することができるという効果を奏する。
【発明を実施するための最良の形態】
【００１０】
以下に、本発明にかかるワイヤーハーネスにおける接続状態検査装置の実施の形態を図１〜図３の図面に基づいて詳細に説明する。なお、本発明は、これらの実施の形態に限定されるものではなく、本発明の要旨を逸脱しない範囲で種々の変更実施の形態が可能である。
【００１１】
（実施の形態１）
図１は、本発明にかかるワイヤーハーネスにおける接続状態検査装置の構成の実施の形態１を示すブロック図である。図において、接続状態検査装置は、ワイヤーハーネスＡと、導通検査器Ｂと、耐電圧検査器Ｃと、ワイヤーハーネスＡと導通検査器Ｂまたは耐電圧検査器Ｃとの接続切り替えを行う切替器Ｄとから構成されている。
【００１２】
ワイヤーハーネスＡは、図２に示すように、たとえば圧接タイプのワイヤーハーネスの場合には、予め端子がアッセンブリされたオープンタイプのコネクタ部Ａ１１〜Ａ１３と、端子に接続される複数の電線Ａ１〜Ａ７から構成されている。このワイヤーハーネスの製造は、上述したオープンタイプのコネクタを使用し、自動機による圧接工程を行って、電線と端子の接続を行い、接続後にコネクタの蓋と、ターミナルフィメール、ハウジングからなるアッパーハウジングアッシーおよびロアーハウジングアッシーとの嵌合工程を行って、一つの圧接コネクタを形成させている。
【００１３】
この自動機による圧接工程を行うと、端子は初期状態よりも若干開いてしまう。この開きが大きくなると、コネクタ嵌合時に隣り合う他の端子とショートする可能性がある。ここで、本発明では、隣り合う端子同士が完全にショートする場合には、導通検査器Ｂによる導通検査工程でこのショートによる接続状態を検出することが可能であり、また導通検査では検出しきれない潜在的な不良（コネクタ部Ａ１１〜Ａ１３と電線Ａ１〜Ａ７から構成される回路間の沿面距離・空間距離の不具合）の場合には、耐電圧検査器Ｃによる耐電圧試験工程でこの潜在的不良の検出を行う。なお、この実施の形態にかかる耐電圧検査器Ｃでは、隣り合う端子間の距離がコンマ数ｍｍ程度にまで接近した状態のものを検出することが可能である。
【００１４】
そこで、この実施の形態にかかる接続状態検査装置では、まずワイヤーハーネスＡと導通検査器Ｂとを切替器Ｄを介して接続し、導通検査器Ｂによる導通検査工程を行って、隣り合う端子の完全ショートによる接続状態を検出し、次に耐電圧検査器Ｃによる耐電圧試験工程を行って、隣り合う端子の潜在的な不良による接続状態を検出する。
【００１５】
ところで、たとえばコネクタ部Ａ１１は１〜８の８個の端子、コネクタ部Ａ１２，Ａ１３はそれぞれ１〜６の６個の端子から構成されており、この耐電圧試験工程を行う際には、従来では、これらコネクタ部Ａ１１〜Ａ１３の全端子を耐電圧検査器Ｃに接続していたため、これらコネクタ部Ａ１１〜Ａ１３の全端子数分のポイント数が耐電圧検査器Ｃにも必要となっていた。しかし、本来の耐電圧試験は、隣り合う端子のみの検査だけで良く、従来のように総当りによる検査では、検査時間の増大を招くとともに、耐電圧検査器Ｃの大型化や設備投資額の増加につながることとなる。
【００１６】
そこで、この実施の形態では、コネクタ部および電線で構成された全回路のＦＲＯＭ側、ＴＯ側の片側のみ、たとえばＦＲＯＭ側の接続端子および電線未接続端子を耐電圧検査器Ｃに接続させて、隣り合う端子との間のみの耐電圧試験を行うことで、ＴＯ側のポイント数の削減による検査効率の向上および設備投資額の抑制を図るものとする。なお、図２の配線図では、端子の「○数字」がＦＲＯＭ側、「○なし数字」がＴＯ側を示しており、コネクタ部Ａ１２のＦＲＯＭ側の端子４，５が切替器Ｄのスイッチ素子、たとえばリレー回路から構成されるスイッチ素子Ｄ１１，Ｄ１２を介して導通検査器Ｂおよび耐電圧検査器Ｃと接続される状態を一例として示しており、ＴＯ側の端子３は、スイッチ素子Ｄ１０を介して導通検査器Ｂとのみと接続されている。
【００１７】
このように、この実施の形態では、導通検査器でコネクタ部の導通検査を行った後に、コネクタ部と耐電圧検査器とを切替器で接続させて、この耐電圧検査器で隣り合う端子間の耐電圧試験を行なって、回路間の沿面距離・空間距離の不具合を検査するので、コネクタ部の短絡や短絡には至っていないが導通検査では検出しきれない潜在的な不良を確実に検出することが可能である。
【００１８】
また、この実施の形態では、構成された全回路のＦＲＯＭ側またはＴＯ側の端子のうち、いずれか一方の側（実施の形態ではＦＲＯＭ側）の端子のみを耐電圧検査器に接続させて、隣り合う端子間の耐電圧試験を行うので、従来の総当りによる検査と異なり、検査時間を大幅に削減できるとともに、耐電圧検査器の大型化や設備投資額の増加を抑えることもできる。
【００１９】
（実施の形態２）
また、切替器Ｄの切り替えおよび各検査器の検査は、手動によって行うことも可能であるが、たとえば図３の実施の形態２のブロック図に示すように、制御回路Ｅによってリレー回路であるスイッチ素子を切り替え制御するシーケンス制御により構成することも可能である。
【００２０】
この実施の形態では、制御回路Ｅは、検査開始時に、まず切替器Ｄを導通検査器Ｂ側に切り替えて、この導通検査器Ｂによる導通検査工程を行わせて、通常の配列検査（オープン・ショート検査）とともに、隣り合う端子同士が完全にショートする場合を検出する。そして、この導通検査が終了すると、制御回路Ｅは、切替器Ｄを耐電圧検査器Ｃ側に切り替えて、この耐電圧検査器Ｃによる耐電圧試験工程を行わせて、コネクタ部Ａ１１〜Ａ１３と電線Ａ１〜Ａ７から構成される回路間の沿面距離・空間距離の不具合を検出する。
【００２１】
この実施の形態においても、導通検査と耐電圧検査を行うことで、実施の形態１と同様の効果を奏するとともに、シーケンス制御によって検査を行うことで、さらに接続状態検査装置の操作の汎用性を高めることができる。
【００２２】
なお、本発明では、たとえば加圧を行いながら耐電圧試験を行うことも可能であり、この場合には、所定の加圧量と耐電圧量を組み合わせて耐電圧試験を行うことで、ショート検出の精度をさらに向上させ、これによって円滑な量産展開を図ることが可能となる。また、本発明では、導通検査を耐電圧試験と同様に、ＦＲＯＭ側の端子および電線未接続端子に対して行うように設定することも可能である。
【００２３】
また、実施の形態では、１段コネクタの場合について説明したが、本発明はこれに限らず、複数段のコネクタにも応用が可能であり、この場合には、コネクタの積み重ねにおける段間の耐電圧試験は行わずに、コネクタ単位でキャビティの偶数と奇数を層別にして、耐電圧検査器に接続するように構成することで、上述した実施の形態と同様の効果を奏することができる。
【図面の簡単な説明】
【００２４】
【図１】本発明にかかるワイヤーハーネスにおける接続状態検査装置の構成の実施の形態１を示すブロック図である。
【図２】図１に示した接続状態検査装置内の配線状況を示す配線図である。
【図３】本発明にかかるワイヤーハーネスにおける接続状態検査装置の構成の実施の形態２を示すブロック図である。
【符号の説明】
【００２５】
１〜８  端子
Ａ  ワイヤーハーネス
Ａ１〜Ａ７  電線
Ａ１１〜Ａ１３  コネクタ部
Ｂ  導通検査器
Ｃ  耐電圧検査器
Ｄ  切替器
Ｄ１０〜Ｄ１２  スイッチ素子
Ｅ  制御回路
【図１】
2005337928.tif 000003
【図２】
2005337928.tif 000004
【図３】
2005337928.tif 000005